(57)【要約】      （修正有）【課題】腰部及び足部が捩じれ、足部が開閉して伸長可能であり、素材の使用が減少可能で、構成が強固な足部捩じれ及び伸長用健康器を提供する。【解決手段】ベースと、ベース柱と、立設柱２と、ハンドル２１と、を備え、ベースの中央には、上方に延びているベース柱が設けられており、ベース柱には、上方に延びている立設柱が設けられている台座１と、中央部１３を有し、中央部の両側には、一対の枢着軸１４を介してレール組がそれぞれ枢着されている摺動ベース２２と、ペダル２３と、複数のローラ２３６と、をそれぞれ備え、その上端にペダルが枢着されており、その下端に複数のローラが固定されている二つの摺動装置２３５と、を含む足部捩じれ及び伸長用健康器において、ベースの両側には、シャーシ１１がそれぞれ設けられており、シャーシの閉鎖端がベース柱に向くように固定されている。【選択図】図１
0003184454.tif 000002
【実用新案登録請求の範囲】
【請求項１】
ベースと、ベース柱と、立設柱と、ハンドルと、を備え、前記ベースの中央には、上方に延びている前記ベース柱が設けられており、前記ベース柱には、上方に延びている前記立設柱が設けられており、前記立設柱に前記ハンドルが設けられている台座と、
中央部を有し、前記中央部の両側には、一対の枢着軸を介してレール組がそれぞれ枢着されており、前記中央部の中央に枢着穴が設けられており、前記ベース柱が前記枢着穴に挿入されており、前記ベース柱を中心として旋回可能である摺動ベースと、
ペダルと、複数のローラと、をそれぞれ備え、その上端に前記ペダルが枢着されており、その下端に前記複数のローラが固定されており、前記複数のローラにより前記各レール組を摺動可能な二つの摺動装置と、
を含む足部捩じれ及び伸長用健康器において、
前記ベースの両側には、シャーシがそれぞれ設けられており、前記シャーシの閉鎖端が前記ベース柱に向くように固定されていることを特徴とする足部捩じれ及び伸長用健康器。
【請求項２】
前記シャーシは、チューブであり、円弧状を呈し、その長さがその円周長さの１／２よりも短いことを特徴とする、請求項１に記載の足部捩じれ及び伸長用健康器。
【請求項３】
前記ベースの両側に結合穴がそれぞれ設けられており、前記シャーシには、前記結合穴に対応する結合端が設けられており、前記結合端は、前記結合穴に挿入された後、螺子又はピンにより、前記ベースに前記シャーシを固定可能であることを特徴とする、請求項１に記載の足部捩じれ及び伸長用健康器。
【考案の詳細な説明】
【技術分野】
【０００１】
本考案は、足部捩じれ及び伸長用健康器に関し、特に、腰部及び足部を捩じれ可能であり、足部を開閉して伸長可能であり、素材の使用を減少可能であり、構成が強固となる健康器に関するものである。
【背景技術】
【０００２】
従来の健康器は、身体の各部位の筋肉を鍛錬するためのものが多く、足部を鍛錬するためのものは、ジョギング式、大腿挟み式、足踏み式及びストレッチ式などがある。しかし、足部の内外側の筋肉を同時に鍛錬するためのものは少ない。
【０００３】
図６を参照する。図６は従来のものを示す斜視図である。これは、出願人から提案した腰部及び足部を伸ばすための健康器である。このような健康器は、摺動装置２３５ａにペダル２３ａを枢着することにより、ペダル２３ａが摺動装置２３５ａに対して相対的に旋回可能であり、足部を捩じれ可能である。摺動装置２３５ａにより、足部の内外側の筋肉を鍛錬可能である。ベース柱３ａにより、腰部を捩じれ可能である。このような健康器は、シャーシ１１ａが円盤状を呈し、ユーザの体重により、摺動ベース２ａの両端が揺れやすく、そしてシャーシ１１ａの脱着が極めて不便であり、素材のコストが高く、全体がかなりのスペースを占める問題があった。
【考案の概要】
【考案が解決しようとする課題】
【０００４】
本考案の主な目的は、組付け及び分解を快速に行うことが可能であり、生産コストを減少可能であり、全体の体積を減少可能であり、据付けスペースが小さく、腰部及び足部を捩じれ可能であり、足部を開閉して伸長可能であり、素材の使用を減少可能であり、構成が強固となる足部捩じれ及び伸長用健康器を提供することにある。
【課題を解決するための手段】
【０００５】
本考案の足部捩じれ及び伸長用健康器によると、ベースと、ベース柱と、立設柱と、ハンドルと、を備え、ベースの中央には、上方に延びているベース柱が設けられており、ベース柱には、上方に延びている立設柱が設けられており、立設柱にハンドルが設けられている台座と、中央部を有し、中央部の両側には、一対の枢着軸を介してレール組がそれぞれ枢着されており、中央部の中央に枢着穴が設けられており、ベース柱が枢着穴に挿入されており、ベース柱を中心として旋回可能である摺動ベースと、ペダルと、複数のローラと、をそれぞれ備え、その上端にペダルが枢着されており、その下端に複数のローラが固定されており、複数のローラにより各レール組を摺動可能な二つの摺動装置と、を含む足部捩じれ及び伸長用健康器において、ベースの両側には、シャーシがそれぞれ設けられており、シャーシの閉鎖端がベース柱に向くように固定されていることを特徴とする。
【０００６】
本考案の足部捩じれ及び伸長用健康器によると、シャーシは、チューブであり、円弧状を呈し、その長さがその円周長さの１／２よりも短いことを特徴とする。
【０００７】
本考案の足部捩じれ及び伸長用健康器によると、ベースの両側に結合穴がそれぞれ設けられており、シャーシには、結合穴に対応する結合端が設けられており、結合端は、結合穴に挿入された後、螺子又はピンにより、ベースにシャーシを固定可能であることを特徴とする。
【考案の効果】
【０００８】
本考案の足部捩じれ及び伸長用健康器によれば、組付け及び分解を快速に行うことが可能であり、生産コストを減少可能であり、全体の体積を減少可能であり、据付けスペースが小さく、腰部及び足部を捩じれ可能であり、足部を開閉して伸び可能であり、素材の使用を減少可能であり、構成が強固となるという効果を有する。
【図面の簡単な説明】
【０００９】
【図１】本考案の一実施例を示す斜視図である。
【図２】本考案の一実施例の一部を示す分解斜視図である。
【図３】本考案の一実施例の使用状態を示す模式図である。
【図４】本考案の一実施例により足部を開閉する使用状態を示す模式図である。
【図５】本考案の一実施例を折畳む使用状態を示す模式図である。
【図６】従来のものを示す斜視図である。
【考案を実施するための形態】
【００１０】
以下、本考案の実施の形態を図面に基づいて説明する。
図１乃至図５を参照する。図１は本考案の一実施例を示す斜視図であり、図２は本考案の一実施例の一部を示す分解斜視図であり、図３は本考案の一実施例の使用状態を示す模式図であり、図４は本考案の一実施例により足部を開閉する使用状態を示す模式図であり、図５は本考案の一実施例を折畳む使用状態を示す模式図である。
【００１１】
台座１は、ベース１０と、ベース柱１２と、立設柱２と、ハンドル２１と、を備える。ベース１０の中央には、上方に延びているベース柱１２が設けられている。ベース柱１２には、上方に延びている立設柱２が設けられている。立設柱２にハンドル２１が設けられている。ベース１０の両側にシャーシ１１が固定されている。シャーシ１１は、チューブであり、円弧状を呈し、その長さがその円周長さの１／２よりも短く、その閉鎖端がベース柱１２に向くように固定されている。シャーシ１１の下に滑り止め部１１０が複数設けられている。ベース１０の両側に結合穴１０１がそれぞれ設けられている。シャーシ１１には、結合穴１０１に対応する結合端１１２が設けられている。結合端１１２は、結合穴１０１に挿入された後、螺子１１１又はピンにより、ベース１０にシャーシ１１を固定可能である。
【００１２】
摺動ベース２２は中央部１３を有する。中央部１３の両側には、一対の枢着軸１４を介してレール組２２０がそれぞれ枢着されている。中央部１３の中心に枢着穴１３０が設けられている。ベース柱１２は枢着穴１３０に挿入されている。摺動ベース２２は、ベース柱１２を中心として旋回可能である。ベース柱１２は、枢着穴１３０を挿通可能であり、固定リング１５によりベース柱１２の上に固定されている。複数の螺子１５２により、固定リング１５はベース柱１２に締結されている。
【００１３】
二つの摺動装置２３５は、ペダル２３と、複数のローラ２３６と、をそれぞれ備える。摺動装置２３５は、その上端にペダル２３が枢着されており、その下端に複数のローラ２３６が固定されている。複数のローラ２３６により、摺動装置２３５は各レール組２２０を摺動可能である。各レール組２２０は、二つのレール２４と、天板２５と、を含む。二つのレール２４の自由端は、中央部１３の同じ側に枢着されている。天板２５は、二つのレール２４の他端に設けられている。摺動装置２３５の前後端の下に枢着ブッシュ２５０がそれぞれ配されている。各枢着ブッシュ２５０は、それぞれ二つのレール２４に嵌め設けられている。枢着ブッシュ２５０により、摺動装置２３５は脱落しない。ペダル２３は、シャフト２３７を介して摺動装置２３５に連接されている。このように、ペダル２３は旋回可能である。ペダル２３の上面に凸部２３９が複数設けられている。
【００１４】
天板２５の中央には、中央部１３に向くフック２３８がそれぞれ設けられている。中央部１３の各フック２３８に向く箇所では、プーリー２４１がそれぞれ配されている。各摺動装置２３５の下にフック２３１が設けられている。弾性付きロープ２３２は、一端がフック２３１に固定されており、中段がプーリー２４１を回っており、他端が天板２５のフック２３８に固定されている。各レール２４の天板２５に近接する自由端に止め部２３４がそれぞれ設けられている。止め部２３４により、摺動ベース２２は天板２５に衝突する前に止められる。
【００１５】
次に、本考案の一実施例の使用方法を説明する。ユーザが本考案の足部捩じれ及び伸長用健康器を利用したいときには、両足を各ペダル２３にそれぞれ立って、両手をハンドル２１にそれぞれ握って、摺動ベース２２により、ユーザは足部を開閉可能であり、このように、足部の内外側の筋肉を鍛錬可能であり、ペダル２３の下に枢着されているシャフト２３７により、足部を捩じれることができ、そしてベース柱１２の回転力により、ユーザの腰部を捩じれることが可能である。このように、本考案の足部捩じれ及び伸長用健康器によれば、足部を伸長可能であり、足部及び腰部を捩じれることも可能である。
【００１６】
図５に示すように、本考案の足部捩じれ及び伸長用健康器を収納したいときには、枢着軸１４を中心として各レール２４を旋回して、立設柱２に各天板２５を当接すると済む。シャーシ１１は、チューブであり、円弧状を呈し、その長さがその円周長さの１／２よりも短く、その閉鎖端がベース柱１２に向くように固定されており、その下に滑り止め部１１０が複数設けられているため、本考案の足部捩じれ及び伸長用健康器は、収納及び展開が容易であり、スペースを広く占めず、構成が強固となる。
【００１７】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００１８】
本考案は、健康器に適用することができる。
【符号の説明】
【００１９】
１  台座
２  立設柱
２ａ  摺動ベース
３ａ  ベース柱
１０  ベース
１１  シャーシ
１１ａ  シャーシ
１２  ベース柱
１３  中央部
１４  枢着軸
１５  固定リング
２１  ハンドル
２２  摺動ベース
２３  ペダル
２３ａ  ペダル
２４  レール
２５  天板
１０１  結合穴
１１０  滑り止め部
１１１  螺子
１１２  結合端
１３０  枢着穴
１５２  螺子
２２０  レール組
２３１  フック
２３２  弾性付きロープ
２３４  止め部
２３５  摺動装置
２３５ａ  摺動装置
２３６  ローラ
２３７  シャフト
２３８  フック
２３９  凸部
２４１  プーリー
２５０  枢着ブッシュ
【図１】
0003184454.tif 000003
【図２】
0003184454.tif 000004
【図３】
0003184454.tif 000005
【図４】
0003184454.tif 000006
【図５】
0003184454.tif 000007
【図６】
0003184454.tif 000008